(57)【要約】  本発明は、白色光及び紫外光を放射するように適合されている少なくとも１つの光源１２ａ、１２ｂと、白色光をコリメートするように適合されているコリメータ１８と、コリメートされた白色光及び紫外光が周囲環境内へと通過することが可能な光出射窓１６とを備える、照明デバイス１２に関し、この照明デバイスは、紫外光を発散させる一方で、コリメートされた白色光を放射するように適合されている。
2019505959.tif 000002
【特許請求の範囲】
【請求項１】
白色光及び紫外光を放射するように適合されている少なくとも１つの光源と、前記白色光をコリメートするように適合されているコリメータと、コリメートされた前記白色光、及び前記紫外光が周囲環境内へと通過することが可能な光出射窓とを備える、照明デバイスであって、前記照明デバイスが、前記紫外光を発散させる一方で、前記コリメートされた白色光を放射するように適合されており、前記光出射窓が、スペクトル選択性である、照明デバイス。
【請求項２】
前記光出射窓が、前記白色光が実質的に散乱することなく通過することを可能にする一方で、前記紫外光を散乱させるように適合されている、請求項１に記載の照明デバイス。
【請求項３】
前記光出射窓が、前記白色光が実質的に回折することなく通過することを可能にする一方で、前記紫外光を回折するように適合されている、請求項１に記載の照明デバイス。
【請求項４】
前記光出射窓が、所定の角度よりも小さい入射角を有する紫外光を反射し、前記所定の角度よりも大きい入射角を有する紫外光を透過するように、かつ、前記所定の角度よりも小さい入射角を有する白色光を透過するように適合されている、請求項１に記載の照明デバイス。
【請求項５】
前記光出射窓が、前記白色光を変換することなく、前記紫外光を、より高い波長でピークを有する紫外光へと変換するように適合されている、請求項１に記載の照明デバイス。
【請求項６】
前記コリメータが、前記白色光を実質的に散乱させることなく、前記紫外光を散乱させるように適合されている粒子を含む、請求項１に記載の照明デバイス。
【請求項７】
前記コリメータが、鏡面反射コーティングと拡散反射コーティングとのスタックを含み、前記鏡面反射コーティングが、前記白色光を鏡面反射するように適合され、かつ前記紫外光に対して透過性であり、前記拡散反射コーティングが、前記紫外光を拡散反射するように適合されている、請求項１に記載の照明デバイス。
【請求項８】
前記コリメータが、散乱層と鏡面反射コーティングを有する層とのスタックを含み、前記散乱層が、前記紫外光を散乱させるように適合されており、前記鏡面反射コーティングが、前記白色光及び前記紫外光の双方を鏡面反射するように適合されている、請求項１に記載の照明デバイス。
【請求項９】
前記コリメータが、前記白色光を実質的に回折することなく、前記紫外光を回折するように適合されているスペクトル選択層を含む、請求項１に記載の照明デバイス。
【請求項１０】
前記コリメータが、前記白色光を変換することなく、前記紫外光を、より高い波長でピークを有する紫外光へと変換するように適合されているスペクトル選択層を含む、請求項１に記載の照明デバイス。
【請求項１１】
前記少なくとも１つの光源が、前記白色光を放射するように適合されている第１の光源と、前記紫外光を放射するように適合されている第２の光源とを含み、前記第２の光源が、前記光出射窓の方を向くように位置決めされており、前記第１の光源が、反対方向で位置決めされている、請求項１に記載の照明デバイス。
【請求項１２】
前記少なくとも１つの光源が、４００〜８００ｎｍの波長範囲の可視光を放射するように適合されている、請求項１乃至１１のいずれかに記載の照明デバイス。
【請求項１３】
前記少なくとも１つの光源が、２７０〜３５０ｎｍの波長範囲の紫外光を放射するように適合されている、請求項１乃至１２のいずれかに記載の照明デバイス。
【請求項１４】
白色光及び紫外光を放射するように適合されている前記少なくとも１つの光源が、固体光源である、請求項１乃至１３のいずれかに記載の照明デバイス。
【発明の詳細な説明】
【技術分野】
【０００１】
本発明は、白色光を放射するように適合されている少なくとも１つの光源を備える、照明デバイスに関する。
【背景技術】
【０００２】
人工の白色光が、高い割合で採用されている。そのような光源は、極めて高い効率で、９０を超えるＣＲＩ（color rendering index；演色評価数）を有する、高品質の光を生成することができる。しかしながら、太陽光と比較された場合の、そのような光源の問題点のうちの１つは、可視光を提供することに留まらない、人間に対する明確な有益性を有するスペクトルの特定部分の欠如である。例えば、ＵＶ光は（極めて低い強度であっても）、ビタミンＤの生成に関して（又は、皮膚の日焼け、昆虫の誘引、皮膚の治療などに関して）極めて重要である。この目的のために、白色ＬＥＤと組み合わせて、ＵＶ  ＬＥＤを導入することが可能である。
【０００３】
米国特許出願公開第２０１４１６０７２８号は、青色光を放射する青色発光デバイス及び紫外光を放射するＵＶ発光デバイスを含む、複数の発光デバイスと、それらの複数の発光デバイスから放射された光の経路内に配置構成され、それらの複数の発光デバイスから放射された光の波長を変換するための蛍光物質が設けられている、波長変換部とを備えており、白色光を得るために青色光によって励起されて青色光と混合される蛍光物質が、青色発光デバイスに対応する第１の区域上に配置構成され、少なくとも青色蛍光物質が、ＵＶ発光デバイスに対応する第２の区域上に配置構成されている、発光デバイスを開示している。
【０００４】
しかしながら、ＵＶ点光源は、皮膚に対して極めて有害であり、過度に長い間、その光源に人が接触又は接近する場合には、種々の問題を引き起こす恐れがある。また、高いグレアを有する光源を見つめることは、不快である。
【発明の概要】
【発明が解決しようとする課題】
【０００５】
前述の問題点を克服する、又は少なくとも軽減すること、及び改善された照明デバイスを提供することが、本発明の目的である。
【課題を解決するための手段】
【０００６】
本発明の一態様によれば、この目的及び他の目的は、白色光及び紫外光を放射するように適合されている少なくとも１つの光源と、白色光をコリメートするように適合されているコリメータと、コリメートされた白色光及び紫外光が周囲環境内へと通過することが可能な光出射窓とを備える、照明デバイスであって、この照明デバイスは、紫外光を発散させる一方で、コリメートされた白色光を放射するように適合されている、照明デバイスによって達成される。
【０００７】
この照明デバイスが、紫外光を発散させる一方で、コリメートされた白色光を放射するように適合されているということは、紫外光が、コリメートされた白色光よりも大きい角度に発散されることを意味し得るものであり、「角度」とは、光出射窓の法線に対する光の方向を指す。換言すれば、紫外光又はＵＶ成分は、コリメートされた白色光よりも大きい角度範囲に発散し得る。
【０００８】
本発明は、紫外光を発散させることによって、紫外光が無害である又は少なくとも有害性がより少ない、複合型の白色及びＵＶ照明デバイスが提供され得るという理解に基づくものである。更には、白色光がコリメートされるため、白色光に関するグレアが除去され得る、又は少なくとも低減され得る。
【０００９】
紫外光を発散させるために、光出射窓は、スペクトル選択性とすることができる。光出射窓は、例えば、スペクトル選択層（例えば、プレート上のコーティング）又はスペクトル選択プレートとすることができる。
【００１０】
一実施形態では、光出射窓は、白色光が（実質的に）散乱することなく通過することを可能にする一方で、紫外光を散乱させるように適合されている。例えば、光出射窓は、この場合、ポリマー、例えばシリコーンなどの好適なマトリックス材料と組み合わされた、好適なサイズ（分布）を有する中空球を含み得る。
【００１１】
別の実施形態では、光出射窓は、白色光が（実質的に）回折することなく通過することを可能にする一方で、紫外光を回折するように適合されている。光出射窓は、この場合、例えば、波長選択性回折格子を含み得る。
【００１２】
別の実施形態では、光出射窓は、所定の角度よりも小さい入射角を有する紫外光を反射し、その所定の角度よりも大きい入射角を有する紫外光を透過するように、かつ、その所定の角度よりも小さい入射角を有する白色光を透過するように、適合されている。光出射窓は、この場合、例えば、ダイクロイックミラーを含み得る。
【００１３】
別の実施形態では、光出射窓は、白色光を変換することなく、紫外光を、より高い波長でピークを有する紫外光へと変換するように適合されている。光出射窓は、この場合、例えば、蛍光体層を含み得る。
【００１４】
他の実施形態では、紫外光は、コリメータレベルで発散され得る。すなわち、コリメータは、スペクトル選択性とすることができる。コリメータは、例えば、反射器又は全内部反射光学素子とすることができる。
【００１５】
一実施形態では、コリメータは、白色光、すなわち、可視領域の光を（実質的に）散乱させることなく、紫外光を散乱させるように適合されている、（小）粒子を含む。
【００１６】
別の実施形態では、コリメータは、鏡面反射コーティングと拡散反射コーティングとのスタックを含み、鏡面反射コーティングは、白色光を鏡面反射するように適合され、かつ紫外光に対して透過性であり、拡散反射コーティングは、紫外光を拡散反射するように適合されている。鏡面反射コーティングは、例えば、銀コーティングとすることができる。拡散反射コーティングは、例えば、粗面上のアルミニウムコーティングとすることができる。
【００１７】
別の実施形態では、コリメータは、散乱層と鏡面反射コーティングを有する層とのスタックを含み、散乱層は、紫外光を散乱させるように適合されており、鏡面反射コーティングは、白色光及び紫外光の双方を鏡面反射するように適合されている。散乱層は、例えば、ＵＶ反射粒子を含み得る。鏡面反射コーティングは、例えば、アルミニウムコーティングとすることができる。
【００１８】
別の実施形態では、コリメータは、白色光を（実質的に）回折することなく、紫外光を回折するように適合されているスペクトル選択層を含む。
【００１９】
別の実施形態では、コリメータは、白色光を変換することなく、紫外光を、より高い波長でピークを有する紫外光へと変換するように適合されているスペクトル選択層を含む。
【００２０】
更に別の実施形態では、少なくとも１つの光源は、白色光を放射するように適合されている第１の光源と、紫外光を放射するように適合されている第２の光源とを含み、この第２の光源は、光出射窓の方を向くように位置決めされており、第１の光源は、反対方向で位置決めされている。この実施形態では、コリメータは、白色光をコリメートするために最適化される一方で、ＵＶ光のコリメーションがより少なくなるように設計され得る。この目的のために、コリメータは、例えば、楕円形状の反射器とすることができる。
【００２１】
少なくとも１つの光源は、４００〜８００ｎｍの波長範囲の可視白色光を放射するように適合され得る。
【００２２】
少なくとも１つの光源は、２７０〜３５０ｎｍ、又は２９０〜３３０ｎｍ、又は３００〜３２０ｎｍの波長範囲の紫外光を放射するように適合され得る。
【００２３】
白色光及び紫外光を放射するように適合されている、この少なくとも１つの光源は、発光ダイオード（light emitting diode；ＬＥＤ）又はレーザダイオードなどの固体光源とすることができる。
【００２４】
更には、この少なくとも１つの光源は、蛍光体変換紫外光源、すなわち、白色光及びＵＶ光の双方を放射する１つの光源とすることができる。蛍光体変換紫外光源は、例えば、ＵＶ光が部分的に青色光、黄色光、及び赤色光に変換される、ＵＶ  ＬＥＤとすることができる。このことは、変換されていないＵＶ成分が、依然として残されていることを意味する。あるいは、白色光及び紫外光を放射するように適合されている、この少なくとも１つの光源は、蛍光体変換青色光源及びＵＶ光源（２つの光源）とすることもできる。あるいは、白色光及び紫外光を放射するように適合されている、この少なくとも１つの光源は、ＵＶ光源、青色光源、緑色光源、及び赤色光源（４つの光源）とすることもできる。
【００２５】
本発明は、「特許請求の範囲」で列挙される特徴の、全ての可能な組み合わせに関するものであることに留意されたい。
【図面の簡単な説明】
【００２６】
ここで、本発明の実施形態を示す添付図面を参照して、本発明のこの態様及び他の態様が、より詳細に説明される。
【図１ａ】本発明の実施形態による、照明デバイスの概略側面図である。
【図１ｂ】図１ａの照明デバイスの概略平面図である。
【図２】本発明の別の実施形態による、照明デバイスの概略側面図である。
【図３】本発明の別の実施形態による、照明デバイスの概略側面図である。
【図３−１】本発明の別の実施形態による、照明デバイスの概略側面図である。
【図４】本発明の別の実施形態による、照明デバイスの概略側面図である。
【図５】本発明の別の実施形態による、照明デバイスの概略側面図である。
【図６】本発明の別の実施形態による、照明デバイスの概略側面図である。
【図７】本発明の別の実施形態による、照明デバイスの概略側面図である。
【図８】本発明の別の実施形態による、照明デバイスの概略側面図である。
【図９】本発明の別の実施形態による、照明デバイスの概略側面図である。
【図１０】本発明の更に別の実施形態による、照明デバイスの概略側面図である。
【００２７】
これらの図で示されるような層及び領域のサイズは、説明の目的のために誇張されており、それゆえ、本発明の実施形態の一般的構造を説明するために提供されるものである。同様の参照符号は、全体を通して同様の要素を指す。
【発明を実施するための形態】
【００２８】
ここで、本発明の現時点で好ましい実施形態が示されている、添付図面を参照して、本発明が、以降でより完全に説明される。しかしながら、本発明は、多くの異なる形態で具現化され得るものであり、本明細書に記載の実施形態に限定されるものとして解釈されるべきではなく、むしろ、これらの実施形態は、徹底性及び完全性のために提供されており、本発明の範囲を当業者に完全に伝えるものである。
【００２９】
図１ａ〜図１ｂは、本発明の実施形態による、照明デバイス１０を示す。
【００３０】
照明デバイス１０は、白色光を放射するように適合されている第１の光源１２ａ、及び紫外光（紫外成分を有する白色光と称される場合もある）を放射するように適合されている第２の光源１２ｂの形態の、白色光及び紫外（ＵＶ）光を放射するように適合されている少なくとも１つの光源を備える。第１の光源１２ａは、例えば、蛍光体変換青色光源、あるいは、青色光源と緑色光源と赤色光源との組み合わせとすることができる。白色光は、４００〜８００ｎｍの波長範囲とすることができる。紫外光は、２７０〜３５０ｎｍ、又は２９０〜３３０ｎｍ、又は３００〜３２０ｎｍの波長範囲とすることができる。光源１２ａ〜１２ｂは、ＬＥＤ又はレーザダイオードなどの固体光源とすることができる。光源１２ａ〜１２ｂは、照明デバイス１０の基板１４上で、互いに隣り合わせに位置決めされている。
【００３１】
照明デバイス１０は、光源１２ａ〜１２ｂに対向する光出射窓１６、及びコリメータ１８を更に備える。コリメータ１８は、基板１４と光出射窓１６との間に配置構成され得る。
【００３２】
コリメータ１８は、少なくとも白色光をコリメートするように、すなわち狭めるように、例えば、平行にするように適合されている。コリメータ１８は、例えば、反射器又はＴＩＲ（total internal reflection；全内部反射）光学素子とすることができる。コリメータ１８は、反射面２０を有する。
【００３３】
光出射窓１６は、一般に、光源１２ａ〜１２ｂからの光を、照明デバイス１０の周囲環境２２に「放射する」ように適合されている。
【００３４】
図１ａ〜図１ｂにおける光出射窓１６は、スペクトル選択性である。具体的には、この光出射窓は、白色光が散乱することなく通過することを可能にする一方で、紫外光を散乱させるように適合されている。この目的のために、光出射窓１６は、ナノサイズの空気ポケット又はガラス中空球あるいはダイクロイックミラー小片２４を、マトリックス材料２６、例えばシリコーン中に含み得る。これらの空気ポケット又は中空球２４は、例えば、約２００〜４００ｎｍのサイズを有し得る。
【００３５】
図１ａ〜１ｂの照明デバイス１０の動作中、第１の光源１２ａは、白色光（図面中、破線矢印によって例示されている）を放射し、第２の光源１２ｂは、紫外光（図面中、点線矢印によって例示されている）を放射する。白色光は、コリメータ１８によってコリメートされ、散乱することなく、光出射窓１６を通って透過される。その一方で、紫外光は、光出射窓１６によって散乱されることにより、その紫外光は発散される。換言すれば、紫外光は、コリメートされた白色光よりも大きい角度に、再分散又は発散される。
【００３６】
図２の照明デバイス１０は、（スペクトル選択性）光出射窓１６が、白色光が回折することなく通過することを可能にする一方で、紫外光を回折するように適合されている点で、図１ａ〜図１ｂの照明デバイスとは異なる。この目的のために、光出射窓１６は、複数の回折素子２８を備え得る。それらの複数の回折素子２８は、例えば、波長選択性回折格子の一部を形成し得る。図２の照明デバイス１０の動作中、紫外光は、光出射窓１６によって回折されることにより、その紫外光は発散されることになる。
【００３７】
図３の照明デバイス１０は、（スペクトル選択性）光出射窓１６が、所定の角度よりも小さい入射角を有する紫外光を反射し、その所定の角度よりも大きい入射角を有する紫外光を透過するように、かつ、その所定の角度よりも小さい入射角を有する白色光を透過するように適合されている点で、図１ａ〜図１ｂの照明デバイスとは異なる。この目的のために、光出射窓１６は、ダイクロイックミラー３０を備え得る。この所定の角度は、例えば、３０°とすることができる。ダイクロイックミラー３０の厚さは、例えば、前述の機能が達成されるように選択され得る。図３の照明デバイス１０の動作中、所定の角度よりも大きい入射角θ'を有する紫外光３２'は、光出射窓を通して透過されるが、その一方で、所定の角度よりも小さい入射角θ''を有する紫外光３２''は、反射されてコリメータ１８内に戻されることにより、発散された紫外光のみが、照明デバイス１０によって放射される。
【００３８】
図３に対する代替的実施形態では、白色光成分に関するカラーオーバアングル（color over angle）の問題を回避するために、照明デバイス１０は、ＵＶ光源１２ｂのための別個のコリメータ１８'を備え得るものであり、図３−１に示されるように、ダイクロイックリフレクタ３０'が、このコリメータ１８'の頂部に配置されることにより、白色光源と相互作用する、白色光源１２ａから来る光の殆どを回避する。この別個のコリメータ１８'は、コリメータ１８よりも小さく、コリメータ１８の内側に配置され得る。
【００３９】
図４の照明デバイス１０は、（スペクトル選択性）光出射窓１６が、白色光を変換することなく、紫外光を、より高い波長でピークを有する紫外光へと変換するように適合されている点で、図１ａ〜図１ｂの照明デバイスとは異なる。この目的のために、光出射窓１６は、蛍光体層３４を備え得る。例えば、蛍光体層３４は、例えば２５０ｎｍの波長を有する紫外光を吸収し、例えば３１０〜３２０ｎｍの波長を有する紫外光を放射することができる。動作中、第２の光源１２ｂによって放射された紫外光は、蛍光体層３４によって、より高い波長でピークを有する紫外光へと変換される。より高い波長でピークを有する紫外光は、図面中、実線矢印によって例示されている。変換される際に、その紫外光はまた、より大きい角度に再分散されるが、その一方で、白色光は変換されず、それゆえ、コリメートされたまま維持される。
【００４０】
図１〜図４は、紫外光が光出射窓レベルで発散される実施形態を示すものであったが、図５〜図９は、紫外光がコリメータレベルで発散される実施形態を示す。
【００４１】
図５の照明デバイス１０は、コリメータ１８が、白色光、すなわち、可視領域の光を散乱させることなく、紫外光を散乱させるように適合されている粒子３６を含む点で、図１ａ〜図１ｂの照明デバイスとは異なる。コリメータ１８は、この場合、ＴＩＲ光学素子とすることができ、粒子３６は、そのＴＩＲ光学素子全体にわたって分散されている。図５における光出射窓１６は、典型的には、波長選択性ではない。図５の照明デバイス１０の動作中、第２の光源１２ｂによって放射された紫外光は、コリメータ１８の内部で散乱されることにより、その紫外光は発散されることになる。その一方で、白色光は、粒子３６によって散乱されず、その代わりに、コリメータ１８によってコリメートされる。
【００４２】
図６の照明デバイス１０は、コリメータ１８が、内側の鏡面反射コーティング４０ａと外側の拡散反射コーティング４０ｂとのスタックを含む点で、図５の照明デバイスとは異なる。このスタックは、コリメータ１８の表面２０を構成し得る。鏡面反射コーティング４０ａは、白色光を鏡面反射するように適合されており、紫外光に対しては透過性である。鏡面反射コーティング４０ａは、例えば、３５０〜８００ｎｍの範囲の光を鏡面反射し、３５０ｎｍ未満の波長に対して透過性とすることができる。鏡面反射コーティング４０ａは、例えば、銀コーティングとすることができる。拡散反射コーティング４０ｂは、紫外光を拡散反射するように適合されている。拡散反射コーティング４０ｂは、例えば、粗面上のアルミニウムコーティングとすることができる。図６の照明デバイス１０の動作中、白色光は、鏡面反射コーティング４０ａによってコリメートされるが、その一方で、紫外光は、鏡面反射コーティング４０ａを通過して、反射コーティング４０ｂによって拡散されることにより、その紫外光は発散されることになる。
【００４３】
図７の照明デバイス１０は、コリメータ１８が、内側の散乱層４４ａと鏡面反射コーティング４４ｂを有する外側層とのスタックを含む点で、図５の照明デバイスとは異なる。このスタックは、コリメータ１８の表面２０を構成し得る。散乱層４４ａは、紫外光を散乱させるように適合されている。散乱層４４ａは、例えば、シリカ、石英、又はシリコーンゴムのナノ粒子（２００〜４００ｎｍのサイズ）など、ＵＶに対してかなりの程度透過性である、ＵＶ散乱粒子を含み得る。鏡面反射コーティング４４ｂは、白色光及び紫外光の双方を、鏡面反射するように適合されている。鏡面反射コーティング４４ｂは、例えば、アルミニウムコーティングとすることができる。図７の照明デバイス１０の動作中、白色光は、散乱層４４ａのＵＶ反射粒子によって散乱されない。その代わりに、白色光は、鏡面反射コーティング４４ｂによってコリメートされる。その一方で、紫外光は、散乱層４４ａによって散乱されることにより、その紫外光は発散されることになる。
【００４４】
図８の照明デバイス１０は、コリメータ１８が、白色光を回折することなく、紫外光を回折するように適合されているスペクトル選択層を含む点で、図５の照明デバイスとは異なる。このスペクトル選択層は、コリメータ表面２０に設けられている複数の回折素子４６とすることができる。図８の照明デバイスの動作中、コリメータ１８のスペクトル選択層が、紫外光を回折することにより、その紫外光は発散されることになる。白色光は回折されず、それゆえ、コリメータ１８によってコリメートされることになる。
【００４５】
図９の照明デバイス１０は、コリメータが、白色光を変換することなく、紫外光を、より高い波長でピークを有する紫外光へと変換するように適合されているスペクトル選択層４８を含む点で、図６の照明デバイスとは異なる。スペクトル選択層４８は、コリメータ表面２０に設けられ得る。スペクトル選択層４８は、蛍光体層とすることができる。図９の照明デバイスの動作中、第２の光源１２ｂによって放射された紫外光は、蛍光体層４８によって、より高い波長でピークを有する紫外光へと変換される。変換される際に、その紫外光はまた、より大きい角度に再分散されるが、その一方で、白色光は変換されず、それゆえ、コリメータ１８によってコリメートされることになる。
【００４６】
図１０は、白色光を放射するように適合されている第１の光源１２ａが、光出射窓１６の内面に、又は内面付近に位置決めされ、ＵＶ光を放射する第２の光源１２ｂの方を向いている点で図１ａ〜図１ｂの照明デバイスとは異なる、更に別の実施形態による照明デバイス１０を示す。換言すれば、第２の光源１２ｂは、紫外光を発散させるために間接モードで位置決めされているが、その一方で、第１の光源１２ａは、直接モードで位置決めされている。コリメータ１８、例えば反射器は、光源１２ａから発生する光はコリメートされるが、その一方で、光源１２ｂからの光は、コリメートされることなく反射器から出るように適合され得る。コリメータ１８は、例えば、楕円形状の反射器とすることができる。図１０における光出射窓１６は、典型的には、波長選択性ではない。
【００４７】
本発明の照明デバイス１０は、約１：２０（又は、それよりも低い）の、ＵＶ対可視の比率を有し得るものであり、このＵＶ及び可視における「光」の量は、ワットで表現され得る。
【００４８】
更には、照明デバイス１０は、典型的には、１０００〜５０００ｌｍの出力を提供する。
【００４９】
更には、照明デバイス１０の相関色温度（correlated colour temperature；ＣＣＴ）は、２０００〜２００００Ｋの範囲、又は２５００〜１００００Ｋの範囲、又は２７００〜８０００Ｋの範囲とすることができる。
【００５０】
更には、白色光は、ＣＩＥ  ＸＹＺ色空間における色点、並びに、黒体軌跡（black body line；ＢＢＬ）から２５ＳＤＣＭ（Standard Deviation Color Matching；等色標準偏差）未満の、又はＢＢＬから１５ＳＤＣＭ未満の、又はＢＢＬから１０ＳＤＣＭ未満の距離を有し得る。
【００５１】
更には、照明デバイス１０の演色評価数（ＣＲＩ）は、６０を超える、又は７０を超える、又は８０若しくは９０を超えることがある。
【００５２】
更には、図１〜図３及び図４〜図９の実施形態では、第１の光源１２ａ及び第２の光源１２ｂは、蛍光体変換紫外光源、例えば、ＵＶ光が部分的に青色光、黄色光、及び赤色光に変換されるＵＶ  ＬＥＤなどの、１つの光源によって置き換えられることが可能である。
【００５３】
本発明の照明デバイス１０は、例えば、ランプ、電球、光エンジン、照明器具、又は照明設備内に位置決めされ得る。
【００５４】
当業者は、本発明が、上述の好ましい実施形態に決して限定されるものではないことを、理解するものである。むしろ、多くの修正及び変更が、添付の「特許請求の範囲」内で可能である。
【００５５】
更には、開示された実施形態に対する変更は、図面、本開示、及び添付の「特許請求の範囲」の研究から、特許請求された発明を実施する際の当業者によって理解され、遂行され得る。「特許請求の範囲」では、用語「含む（comprising）」は、他の要素又はステップを排除するものではなく、不定冠詞「１つの（a）」又は「１つの（an）」は、複数を排除するものでない。特定の手段が、互いに異なる従属請求項内に列挙されているという単なる事実は、これらの手段の組み合わせが、有利に使用できないことを示すものではない。
【図１ａ】
2019505959.tif 000003
【図１ｂ】
2019505959.tif 000004
【図２】
2019505959.tif 000005
【図３】
2019505959.tif 000006
【図３−１】
2019505959.tif 000007
【図４】
2019505959.tif 000008
【図５】
2019505959.tif 000009
【図６】
2019505959.tif 000010
【図７】
2019505959.tif 000011
【図８】
2019505959.tif 000012
【図９】
2019505959.tif 000013
【図１０】
2019505959.tif 000014
【国際調査報告】
2019505959.tif 000015
2019505959.tif 000016
2019505959.tif 000017